(57)【要約】      （修正有）【課題】カードホルダを大型化することなく、コードリールにコードを巻き取ってカードケースを元の位置に戻したとき、カードケースが自動的に表向きになるようにする。【解決手段】コードリール１２に設けられたカム２０と、カードケース１４に設けられたカムフォロア２１とを備え、コードリール１２にコード１３が巻き取られたとき、カムフォロア２１がカム２０に当接してカードケース１４をコードリール１２に対して所定の姿勢に規制するので、一旦引き出したカードケース１４を元位置に戻したとき、使用者が意識してカードケース１４の姿勢を表向きに整えなくても、カードケース１４の姿勢が自動的に表向きになって利便性が向上する。しかもコードリール１２は、幅広の帯状ストラップではなく細いコード１３を巻き取るだけなので、小型化が可能である。【選択図】図５
2018066882.tif 000002
【特許請求の範囲】
【請求項１】
コード（１３）を引き出しおよび巻き取り可能に収納するコードリール（１２）と、前記コードリール（１２）を使用者の身体に保持する保持手段（１６，１７）と、前記コード（１３）の先端に設けられてＩＤカード（１８）を収納するカードケース（１４）とを備えるカードホルダであって、
前記カードケース（１４）および前記コードリール（１２）の一方に設けられたカム（２０）と、前記カードケース（１４）および前記コードリール（１２）の他方に設けられたカムフォロア（２１）とを備え、前記コードリール（１２）に前記コード（１３）が巻き取られたとき、前記カムフォロア（２１）が前記カム（２０）に当接して前記カードケース（１４）を前記コードリール（１２）に対して所定の姿勢に規制することを特徴とするカードホルダ。
【請求項２】
前記カム（２０）は前記コード（１３）の周囲を取り囲むように配置されて該コード（１３）の巻き取り方向に対して傾斜するカム面（２０ａ）を備え、前記カムフォロア（２１）は前記カム面（２０ａ）に前記コード（１３）の巻き取り方向に当接することを特徴とする、請求項１に記載のカードホルダ。
【請求項３】
前記カム（２０）および前記カムフォロア（２１）は、前記カードケース（１４）を前記コードリール（１２）に対して前記所定の姿勢に安定させる凹凸係合部（２０ｂ，２１ｄ）を備えることを特徴とする、請求項１または請求項２に記載のカードホルダ。
【発明の詳細な説明】
【技術分野】
【０００１】
本発明は、コードを引き出しおよび巻き取り可能に収納するコードリールと、前記コードリールを使用者の身体に保持する保持手段と、前記コードの先端に設けられてカードを収納するカードケースとを備えるカードホルダに関する。
【背景技術】
【０００２】
社員証等のＩＤカードを収納するのに適したカードホルダは、使用者の胸ポケットにクリップや安全ピンで取り付けたり、使用者の首からストラップで吊り下げたりして使用される。ＩＤカードに埋め込んだＩＣチップに記憶された情報を読み込み装置に読み込ませる際に、ＩＤカードをいちいちカードホルダから取り出す必要がないように、乗員の身体に保持されたコードリールから引き出し可能なコードの先端にカードケースを設け、コードを引き出した状態でカードホルダに収納したＩＤカードの情報を読み込み装置に読み込ませ、読み込み後にコードリールにコードを巻き取ってカードケースを元の位置に戻すようにしたカードホルダが、下記特許文献１により公知である。
【０００３】
かかるＩＤカードは使用者の名札としても利用されるが、コードを巻き取ってカードケースを元の位置に戻したとき、カードホルダ裏返しになってしまうとＩＤカードに記載された文字や写真が見えなくなるため、ＩＤカードが名札としての機能を発揮できなくなる可能性がある。そこで特許文献１に記載されたカードホルダは、コードを巻き取ってカードケースを元の位置に戻したとき、カードケースが表向きの姿勢となるように着脱バックルでコードリールに結合することで、ＩＤカードを表向きにして名札としての機能を発揮させるようになっている。
【０００４】
またカードホルダのリール部から引き出されるコードを捩じれ難い幅広の帯状ストラップに置き換え、かつリール部から帯状ストラップを引き出す引出口をスリット状とすることで、帯状ストラップが捩じれてカードケースが裏返るのを防止するものが、下記特許文献２により公知である。
【先行技術文献】
【特許文献】
【０００５】
【特許文献１】特開２００８−２６４２９６号公報
【特許文献２】実用新案登録第３１８４０３２号公報
【発明の概要】
【発明が解決しようとする課題】
【０００６】
しかしながら、上記特許文献１に記載された従来のカードホルダは、コードを巻き取ってカードケースを元の位置に戻したとき、カードケースが表向きとなるように使用者がカードケースの向きを確認しながら着脱バックルでコードリールに結合する必要があり、その作業が面倒であるという問題があった。
【０００７】
また上記特許文献２に記載された従来のカードホルダは、幅広の帯状ストラップはコードよりも大断面積であるため、その帯状ストラップを巻き取るリール部が大型化するという問題があった。
【０００８】
本発明は前述の事情に鑑みてなされたもので、カードホルダを大型化することなく、コードリールにコードを巻き取ってカードケースを元の位置に戻したとき、カードケースが自動的に表向きになるようにすることを目的とする。
【課題を解決するための手段】
【０００９】
上記目的を達成するために、請求項１に記載された発明によれば、コードを引き出しおよび巻き取り可能に収納するコードリールと、前記コードリールを使用者の身体に保持する保持手段と、前記コードの先端に設けられてＩＤカードを収納するカードケースとを備えるカードホルダであって、前記カードケースおよび前記コードリールの一方に設けられたカムと、前記カードケースおよび前記コードリールの他方に設けられたカムフォロアとを備え、前記コードリールに前記コードが巻き取られたとき、前記カムフォロアが前記カムに当接して前記カードケースを前記コードリールに対して所定の姿勢に規制することを特徴とするカードホルダが提案される。
【００１０】
また請求項２に記載された発明によれば、請求項１の構成に加えて、前記カムは前記コードの周囲を取り囲むように配置されて該コードの巻き取り方向に対して傾斜するカム面を備え、前記カムフォロアは前記カム面に前記コードの巻き取り方向に当接することを特徴とするカードホルダが提案される。
【００１１】
また請求項３に記載された発明によれば、請求項１または請求項２の構成に加えて、前記カムおよび前記カムフォロアは、前記カードケースを前記コードリールに対して前記所定の姿勢に安定させる凹凸係合部を備えることを特徴とするカードホルダが提案される。      
【００１２】
なお、実施の形態のクリップ１６およびストラップ１７は本発明の保持手段に対応し、実施の形態の凹部２０ｂおよび凸部２１ｄは本発明の凹凸係合部に対応する。
【発明の効果】
【００１３】
請求項１の構成によれば、カードホルダは、コードを引き出しおよび巻き取り可能に収納するコードリールと、コードリールを使用者の身体に保持する保持手段と、コードの先端に設けられてＩＤカードを収納するカードケースとを備える。カードケースおよびコードリールの一方に設けられたカムと、カードケースおよびコードリールの他方に設けられたカムフォロアとを備え、コードリールにコードが巻き取られたとき、カムフォロアがカムに当接してカードケースをコードリールに対して所定の姿勢に規制するので、一旦引き出したカードケースを元位置に戻したとき、使用者が意識してカードケースの姿勢を表向きに整えなくても、カードケースの姿勢が自動的に表向きになって利便性が向上する。しかもコードリールは、幅広の帯状ストラップを巻き取るものではなく、細いコードを巻き取るだけなので小型化が可能である。
【００１４】
また請求項２の構成によれば、カムはコードの周囲を取り囲むように配置されて該コードの巻き取り方向に対して傾斜するカム面を備え、カムフォロアはカム面にコードの巻き取り方向に当接するので、単純な形状のカムでカードケースをコードまわりに確実に回転させて所定の姿勢に規制することができる。
【００１５】
また請求項３の構成によれば、カムおよびカムフォロアは、カードケースをコードリールに対して所定の姿勢に安定させる凹凸係合部を備えるので、一旦所定の姿勢になったカードケースが、使用者が身体を動かしたはずみで裏返しになるのを防止することができる。
【図面の簡単な説明】
【００１６】
【図１】カードホルダの斜視図。
【図２】図１の２方向矢視図。
【図３】図２の３方向矢視図。
【図４】図２の４Ａ−４Ａ線断面図。
【図５】カードホルダの作用説明図。
【発明を実施するための形態】
【００１７】
以下、図１〜図５に基づいて本発明の実施の形態を説明する。
【００１８】
図１〜図４に示すように、カードホルダ１１は、コードリール１２と、コード１３（図４（Ｂ）参照）と、カードケース１４とを備える。コードリール１２の構造は周知のもので、合成樹脂で中空円板状に形成したケーシング１５を備えており、ケーシング１５の内部にコード１３を巻き取る不図示のリールと、リールを一方向に回転付勢する不図示の捩じりバネとが収納される。ケーシング１５の後面にはクリップ１６が設けられるとともに、ケーシング１５の上端にはストラップ１７が接続されており、コードリール１２は、カードホルダ１１を使用する使用者の胸ポケットの上縁にクリップ１６で固定されるか、ストラップ１７を首に掛けることで使用者に胸部に吊り下げられる。
【００１９】
カードケース１４は透明な合成樹脂製であり、その内部にＩＣチップを埋設したＩＤカード１８が収納される。ＩＤカード１８の表面には使用者の顔写真、氏名、所属等の情報が印刷される。
【００２０】
コードリール１２のケーシング１５の下端には、下向きに突出するステー１９を介してカム２０が一体に設けられる。カム２０は平坦な円板状の部材であり、下端に対して上端が前方に位置するように傾斜した円形のカム面２０ａを備えるとともに、上端にＵ字状の凹部２０ｂを備える。コードリール１２から引き出される細い紐状のコード１３はカム２０の中心を貫通する嵌合孔２０ｃ（図４（Ｂ）参照）を貫通して下方に延出する。
【００２１】
カム２０と協働する合成樹脂製のカムフォロア２１は、ベース部２１ａと、ベース部２１ａの傾斜した上面２１ｂの中心から上方に突出する嵌合突起２１ｃ（図４（Ｂ）参照）と、ベース部２１ａの外周部から径方向外側かつ上方に突出してカム２０の凹部２０ｂに嵌合可能な凸部２１ｄとを備える。コードリール１２から引き出されたコード１３の下端はカムフォロア２１の嵌合突起２１ｃの上端に固定される。またカムフォロア２１のベース部２１ａの下端から下方に延びる延長部２１ｅに形成したスリット２１ｆを貫通する環状の吊り下げバンド２２は、カードケース１４の上端に形成したスリット１４ａを貫通しており、これによりカムフォロア２１にカードケース１４が吊り下げられる。吊り下げバンド２２は捩じれ剛性が高いため、カムフォロア２１に対してカードケース１４が捩じれ難くなっている。
【００２２】
次に、上記構成を備えた本発明の実施の形態の作用を説明する。
【００２３】
図１および図４（Ａ）に示す通常の使用状態において、カードホルダ１１のコードリール１２はコード１３を完全に巻き取っており、カムフォロア２１の嵌合突起２１ｃがカム２０の嵌合孔２０ｃに嵌合し、カムフォロア２１の凸部２１ｄがカム２０の凹部２０ｂに嵌合し、かつカムフォロア２１の上面２１ｂがカム２０のカム面２０ａに当接することで、コードリール１２の前面およびカードケース１４の前面が同じ方向を向くように整列する。この状態でクリップ１６でコードリール１２を使用者の胸ポケットの上縁に固定するか、ストラップ１７を首に掛けてコードリール１２を使用者に胸部に吊り下げると、カードケース１４の前面が使用者の前方を向き、カードケース１４の挿入されたＩＤカード１８の顔写真、氏名、所属等の情報が使用者の正面側から読めるようになり、ＩＤカード１８に名札としての機能を発揮させることができる。
【００２４】
例えば、部外者の入室を禁止された特定の部屋に入室する場合には、図４（Ｂ）に示すように、カードホルダ１１を装着した使用者がカードケース１４を引っ張ってコードリール１２からコード１３を所定量引き出し、カードケース１４に収納されたＩＤカード１８を読み取り装置に接近させると、ＩＤカード１８の情報が読み取り装置に磁気的に読み込まれて認証されることで、ドアのロックが解除されて使用者の入室が可能になる。
【００２５】
図５（Ａ）に示すように、カードケース１４から手を離すと、コードリール１２がコード１３を自動的に巻き取ることで、カードケース１４がコードリール１２に当接する元の位置に向けて移動する。このとき、コード１３は自由に捩じれるため、カードケース１４が使用者の衣服等に接触して姿勢が変化してしまい、カードケース１４が裏返しになってＩＤカード１８の顔写真、氏名、所属等の情報が使用者の正面側から読めなくなり、ＩＤカード１８が名札としての機能を発揮できなくなる可能性がある。
【００２６】
しかしながら、本実施の形態によれば、コード１３がコードリール１２に巻き取られてカードケース１４がコードリール１２に接近する過程で、図５（Ｂ）および図５（Ｃ）に示すように、カムフォロア２１の凸部２１ｄがカム２０のカム面２０ａに当接し、凸部２１ｄがカム面２０ａの外周部に沿って案内されることで、コードリール１２に対してカードケース１４が同方向を向くように整列する。その結果、カムフォロア２１の嵌合突起２１ｃがカム２０の嵌合孔２０ｃに嵌合し、かつカムフォロア２１の凸部２１ｄがカム２０の凹部２０ｂに嵌合してカードケース１４が図１に示す元位置に復帰する。
【００２７】
またコード１３がコードリール１２に巻き取られてカードケース１４がコードリール１２に接近する過程で、カードケース１４が図４（Ｂ）に示す状態で使用者の衣服等に引っ掛かって元位置に復帰しない場合であっても、使用者が歩行を開始する等の僅かな動きでカードケース１４の引っ掛かりが解消するため、カードケース１４は速やかに元位置に復帰することができる。
【００２８】
以上のように、本実施の形態によればコード１３がコードリール１２に巻き取られる過程で、使用者が特別の操作を行わなくても、カードケース１４を自動的に前方を向く元位置に復帰させてＩＤカード１８に名札としての機能を発揮させることが可能になり、利便性が向上する。
【００２９】
またカム２０のカム面２０ａはコード１３の周囲を取り囲むように配置されるので、カードケース１４がどのような姿勢にあってもカムフォロア２１の凸部２１ｄをカム面２０ａの何れかの位置に確実に当接させることができるだけでなく、カム面２０ａはコード１３の巻き取り方向に対して傾斜する傾斜面で構成され、カムフォロア２１の凸部２１ｄはカム面２０ａにコード１３の巻き取り方向に当接するので、単純な形状のカム２０でカードケース１４をコード１３まわりに確実に回転させて元の姿勢に復帰させることができる。
【００３０】
またカム２０およびカムフォロア２１は、カードケース１４をコードリール１２に対して所定の姿勢に安定させる凹部２０ｂおよび凸部２１ｄを備えるので、一旦表向きになったカードケース１４が、使用者が身体を動かしたはずみで裏返しになるのを防止することができる。しかも捩じれ難い幅広のコードを使用する必要がなく、細くて捩じれ易いコード１３を使用することができるため、コードリール１２を小型化することができる。
【００３１】
以上、本発明の実施の形態を説明したが、本発明はその要旨を逸脱しない範囲で種々の設計変更を行うことが可能である。
【００３２】
例えば、実施の形態ではコードリール１２側にカム２０を設けてカードケース１４側にカムフォロア２１を設けているが、その位置関係を逆にし、コードリール１２側にカムフォロア２１を設けてカードケース１４側にカム２０を設けても良い。
【００３３】
また実施の形態ではカム２０側に凹部２０ｂを設けてカムフォロア２１側に凸部２１ｄを設けているが、その位置関係を逆にし、カム２０側に凸部２１ｄを設けてカムフォロア２１側に凹部２０ｂを設けても良い。
【符号の説明】
【００３４】
１２        コードリール
１３        コード
１４        カードケース
１６        クリップ（保持手段）
１７        ストラップ（保持手段）
１８        ＩＤカード
２０        カム
２０ａ      カム面
２０ｂ      凹部（凹凸係合部）
２１        カムフォロア
２１ｄ      凸部（凹凸係合部）
【図１】
2018066882.tif 000003
【図２】
2018066882.tif 000004
【図３】
2018066882.tif 000005
【図４】
2018066882.tif 000006
【図５】
2018066882.tif 000007